(57)【特許請求の範囲】
【請求項１】
道路表面に露出して設置されているマンホール蓋の周辺の道路舗装層を切断する道路舗装層の切断工法において、
第１工程では、上記マンホール蓋を取囲む周辺の道路舗装層に対し、上記マンホール蓋を取囲む配列間隔でもって複数個の所要径の円形穴を形成し、
第２工程では、上記複数個の円形穴に対し、隣接する円形穴の対向間を直線状に結ぶように上記マンホール蓋の周辺を取囲む道路舗装層を直線状に切断することを特徴とする道路舗装層の切断工法。
【請求項２】
上記第１工程において、上記マンホール蓋が四角形状の場合には、上記複数個の円形穴を、四角形状のマンホール蓋の対角線上４カ所に形成することを特徴とする請求項１記載の道路舗装層の切断工法。
【請求項３】
上記第１工程において、上記円形穴は、道路舗装層の舗装厚みに対応する寸法と略同一の内径寸法に設定していることを特徴とする請求項１又は２記載の道路舗装層の切断工法。
【請求項４】
道路表面に露出して設置されているマンホール蓋の周辺の道路舗装層を切断する道路舗装層の切断工法において、
第１工程では、マンホール蓋周辺の道路舗装層を該マンホール蓋を取囲み且つ交差しないように直線状に切断し、
第２工程では、互いに隣接する上記直線切断線に少なくとも接するように所要径の円形穴を形成することを特徴とする道路舗装層の切断工法。
【発明の詳細な説明】
【０００１】
【産業上の利用分野】
本発明は、道路舗装面に設置されたマンホールの蓋高さ調整等を行うに際してマンホール蓋周辺の道路舗装層を切断するのに適した道路舗装層の切断工法に関する。
【０００２】
【従来の技術】
道路工事等に起因して道路舗装面に設置されたマンホール蓋が、路面に対して段差が生じることからマンホール蓋の蓋高さ調整工事が頻繁に行われている。
このマンホール蓋高さ調整工事にあたっては、マンホール蓋周囲の道路舗装層を切断し、切断した舗装層を除去して、可動可能になったマンホール蓋枠を所定の蓋高さ調整手段により上下動調整した後、その高さ調整したマンホール蓋枠の周辺を、再舗装するように復旧作業を行う。
【０００３】
ここで、マンホール蓋周囲の舗装層を切断する際に、通常、円盤形カッターを用いてマンホール蓋周囲の道路舗装層を、図７に示すように、ａ点からｂ点に、ｂ点からｃ点に、ｃ点からｄ点に、ｄ点から最初のａ点へと四角形状に直線状に切断する。
この場合に、道路舗装層は所要の舗装厚を有していることから、コーナ部となるａ点，ｂ点，ｃ点，ｄ点では円盤形カッターを交叉して道路舗装層に切り込む必要があり、これによりコーナ部のａ点，ｂ点，ｃ点，ｄ点には、余切りと呼ばれる余分の舗装切り込みが発生する。
【０００４】
【発明が解決しようとする課題】
ところで、上述のような余切りが発生すると、マンホール蓋の高さ調整工事を行った後に、仮の復旧作業を行う。そして蓋枠周辺の舗装を後日復旧処理する際に、余切りの部分が既舗装部分に対して強度的悪影響とならないように、余切りの部分を含む拡大した範囲（図７に一点鎖線で示す範囲）の舗装を切り崩し、破砕した舗装材を除去してから路床を転圧し再舗装する等の復旧作業を行なう場合に、上述の拡大範囲の全体を広範囲に復旧処理することが道路管理上、定められており、このために復旧の資材を多く要し、また復旧の施工時間も長く要してコスト高となる等の不都合があった。
【０００５】
また従来、上述の余切りが発生しない施工例として特公昭６１−２５８４４号公報に記載のように道路舗装面を、円形状に切断する工法が提案されているが、この従来例の場合、舗装路面を円形状に切断するための特別なカッターや、特殊な円形切断機構を有する設備機材が必要となり、その実施には設備費が嵩む上に施工にも特殊技術が必要となる等の問題点があった。
【０００６】
加えて、道路舗装面に設置されるマンホールには、ガス管用，下水管用，通信ケーブル管用と様々なものがあり、またそれらのマンホール蓋の形状，大きさにも様々なものある。
そして仮に、横：１１４０ｍｍ，縦：９４０ｍｍの長方形マンホール蓋の蓋高さ調整工事を行う場合、内径１７００ｍｍ以上の円形カッターを必要とし、この場合に、この円形カッターの製造費用が高額になる他、機材の搬入，搬出の手間がかさむ問題点が派生する。
また、マンホール蓋の形状，大きさに合わせた円形カッターをそれぞれ用意しなくてはならないため、工事費用が高額になってしまう問題点も派生する。
【０００７】
本発明の目的は、これらの問題点を解決するために案出されたもので、どのようなマンホール蓋の大きさ，形状にも対応できる道路舗装層の切断工法を提供することを目的とする。
【０００８】
【課題を解決するための手段】
この目的を達成するため、本発明は、道路表面に露出して設置されているマンホール蓋の周辺の道路舗装層を切断する道路舗装層の切断工法において、第１工程では、上記マンホール蓋を取囲む周辺の道路舗装層に対し、上記マンホール蓋を取囲む配列間隔でもって複数個の所要径の円形穴を形成し、第２工程では、上記複数個の円形穴に対し、隣接する円形穴の対向間を直線状に結ぶように上記マンホール蓋の周辺を取囲む道路舗装層を直線状に切断することを特徴とする。
【０００９】
また、本発明は、上記第１工程において、上記マンホール蓋が四角形状の場合には、上記複数個の円形穴を、四角形状のマンホール蓋の対角線上４カ所に形成することを特徴とする。
【００１０】
また、本発明は、上記第１工程において、上記円形穴は、道路舗装層の舗装厚みに対応する寸法と略同一の内径寸法に設定していることを特徴とする。
【００１２】
また、本発明は、道路表面に露出して設置されているマンホール蓋の周辺の道路舗装層を切断する道路舗装層の切断工法において、第１工程では、マンホール蓋周辺の道路舗装層を該マンホール蓋を取囲み且つ交差しないように直線状に切断し、第２工程では、互いに隣接する上記直線切断線に少なくとも接するように所要径の円形穴を形成することを特徴とする。
【００１３】
【作用】
本発明では、第１工程にて、マンホール蓋を取囲む配列間隔でもって複数個の所要径の円形穴を形成する。例えば、マンホール蓋が四角形状の場合には、上記複数個の円形穴を、四角形状のマンホール蓋の対角線上４カ所に形成する。次に第２工程にて、前記複数個の円形穴に対し、隣接する円形穴の対向間を直線状に結ぶように上記マンホール蓋の周辺を取囲む道路舗装層を直線状に切断する。このようにすることで、どのようなマンホール蓋の大きさ，形状にも拘わらず適正にマンホール蓋周辺の道路舗装層を切断することができる。
【００１４】
また、本発明では、円形穴は、道路舗装層の舗装厚みに対応する寸法と略同一の内径寸法に設定することができる。これによると、円形穴は比較的小径となる。そのため、円形穴形成に円形カッタを用いた場合、該円形カッタは小型なもので良いため、工事機材の小型化ができ、該工事機材の搬送が楽になる。
【００１５】
上記第２工程において上記互いの円形穴の外側接線方向間の道路舗装層を切断すると、切断形状が略長方形となり切断形状に美観が伴い、さらには、復旧した際の路面強度も安定する。
【００１６】
また、本発明では、第１工程にて、マンホール蓋周辺の道路舗装層を該マンホール蓋を取囲み且つ交差しないように直線状に切断する。すなわち、マンホール蓋周辺を角がない四角形状に切断する。次に、第２工程にて、互いに隣接する上記直線切断線に少なくとも接するように所要径の円形穴を形成する。このようにすることで、どのようなマンホール蓋の大きさ，形状にも拘わらず適正にマンホール蓋周辺の道路舗装層を切断することができる。
【００１７】
【実施例】
図１に示すものは路面上に配置されているマンホール蓋１の平面図である。このマンホール蓋１の蓋高さ調整を行う準備として、まずマンホール蓋１の周辺アスファルトを排除することが必要となる。
本実施例では、マンホール蓋の形状を四角形状として説明するが、本発明の工法では円形のマンホール蓋にも対応できる。
【００１８】
まず、第１実施例として、図２に示すように、第１工程としてマンホール蓋１の対角線上４カ所、すなわち、マンホール蓋１の四隅に円形穴２を形成する。
前記円形穴２の大きさとしては、アスファルトの厚みと同程度の直径、例えばアスファルトの厚み２０ｃｍの場合，直径２０ｃｍの円形穴を形成するが、その他直径１５〜３０ｃｍ程度の大きさの円形穴２でもよい。
【００１９】
前記円形穴２は円形カッター３を用いて形成する。
該円形カッター３は、図３に示すように、台座３１にラック等の送りが形成されている支柱３２が立設しており、モータ３３を備えた稼働部材３４が支柱３２を上下に移動する。そして該稼働部材３４に円筒状のカッタ３５が着脱自在に装着されている。
前記カッタ３５の下端には、凹凸状のカッタ刃３５ａが形成されており、カッタ３５を回転させながらアスファルトに圧接することでアスファルトを円形状に切断するように構成されている。
【００２０】
次に第２工程として、隣接する円形穴２の対向間を直線状に結ぶように上記マンホール蓋１の周辺を取囲むアスファルトを直線状に切断する。
切断手段としては、通常の円盤カッター等を使用し、図４に示すように、上記互いの円形穴２の外側接線方向間のアスファルトを切断する。このようにすることで、切断形状が略長方形となり切断形状に美観が伴うようになる。
【００２１】
そして上記第２工程終了後に、図４に示す斜線部分のアスファルトを排除し、マンホール蓋の蓋高さ調整等の工事を行う。そして工事終了後に、斜線部分にアスファルト材を投下し、ブレード等で転圧して復旧作業を行う。ここで切断形状が略長方形のため、普及した際の路面強度も安定するようになる。
【００２２】
また、第２実施例として、第１工程で、図５に示すように、マンホール蓋１周辺のアスファルトを該マンホール蓋１を取囲み且つ交差しないように直線状に切断する。すなわち、マンホール蓋１の周辺を角がない四角形状に切断する。
次に、第２工程にて、図６に示すように、互いに隣接する上記直線切断線に接するように所要径の円形穴２を形成する。
このようにすることで、どのようなマンホール蓋の大きさ，形状にも拘わらず適正にマンホール蓋周辺のアスファルトを切断することができる。
【００２３】
【発明の効果】
以上のように本発明によれば、どのようなマンホール蓋の大きさ，形状にも拘わらず適正にマンホール蓋周辺の道路舗装層を切断することができる。
【００２４】
また、本発明によれば、円形穴は、道路舗装層の舗装厚みに対応する寸法と略同一の内径寸法に設定していることから、円形穴は比較的小径となる。そのため、円形穴形成に円形カッタを用いた場合、該円形カッタは小型なもので良いため、工事機材の小型化ができ、該工事機材の搬送が楽になる。
【００２５】
第２工程において上記互いの円形穴の外側接線方向間の道路舗装層を切断することで、切断形状が略長方形となり切断形状に美観が伴い、さらには、復旧した際の路面強度も安定する。
【図面の簡単な説明】
【図１】マンホール蓋の設置図
【図２】第１実施例における第１工程の説明図
【図３】第１実施例における円形カッターの説明図
【図４】第１実施例における第２工程の説明図。
【図５】第２実施例における第１工程の説明図。
【図６】第２実施例における第２工程の説明図。
【図７】従来例の説明図。
【符号の説明】
１  マンホール蓋
２  円形穴
３  円形カッター
【図１】
0004064544.tif 000002
【図２】
0004064544.tif 000003
【図３】
0004064544.tif 000004
【図４】
0004064544.tif 000005
【図５】
0004064544.tif 000006
【図６】
0004064544.tif 000007
【図７】
0004064544.tif 000008